(57)【要約】【課題】  ＩＰに準拠したコンテンツ配信サーバを用いて３Ｇ端末へのコンテンツ配信を可能とし、３Ｇ端末からコンテンツ制御を遅延なく行う。【解決手段】  ３Ｇ移動通信網１００とＬＡＮ網２００との間に、映像及び音声の符号変換を行うトランスコーダ３４，３５を有する３Ｇゲートウェイ３を設けて、３Ｇ移動通信網１００とＬＡＮ網２００との間の符号変換を行うようにする。また、ＤＴＭＦ検出部３６を３Ｇゲートウェイ３に内蔵して、３Ｇ携帯端末からの押しボタン操作によるＤＴＭＦ音を検出して、ＬＡＮ２００に接続されているコンテンツ配信サーバの制御信号を生成する。【選択図】      図３                                                  
2005033664.tif 000002
【特許請求の範囲】
【請求項１】
携帯端末が接続された第一の通信網と、前記第一の通信網とは異なる通信プロトコルを有する第二の通信網との間に設けられた通信装置であって、
前記第一及び第二の通信網相互間の通信プロトコルの変換をなすプロトコル変換手段と、前記携帯端末からの音声情報に含まれる制御信号を検出する検出手段とを含むことを特徴とする通信装置。
【請求項２】
所定符号化方式により符号化された映像コンテンツを前記携帯端末へ配信するコンテンツ生成装置が前記第二の通信網に接続されており、前記プロトコル変換手段は、前記第一及び第二の通信網相互間の映像情報及び音声情報の符号変換をなすことを特徴とする請求項１記載の通信装置。
【請求項３】
前記制御信号は前記コンテンツ生成装置を制御する信号を含むことを特徴とする請求項２記載の通信装置。
【請求項４】
音声情報と映像情報とを所定符号化方式によりそれぞれ符号化して一本のストリーム信号として多重化して送信すると共に、音声情報と映像情報とを前記符号化方式により符号化し多重化した一本のストリーム信号を受信して音声情報と映像情報とを分離して出力する複数の携帯情報端末を相互に接続する第一の通信網と、所定符号化方式により符号化された映像コンテンツを送信するコンテンツ生成装置が接続された第二の通信網との間に設けられた通信装置であって、
前記第一及び第二の通信網相互間の映像情報及び音声情報の符号変換をそれぞれなす符号変換手段と、前記符号変換手段により符号化された前記第二の通信網への音声情報出力及び映像情報出力を一本のストリーム信号に多重化して前記第一の通信網へ出力すると共に、前記第一の通信網からのストリーム信号から前記音声情報と前記映像情報とを分離して前記符号変換手段へ出力する多重分離手段とを含むことを特徴とする通信装置。
【請求項５】
前記音声情報には前記コンテンツ生成装置を制御する制御信号が含まれており、前記制御信号を検出する検出手段を、更に含むことを特徴とする請求項４記載の通信装置。
【請求項６】
前記制御信号はＤＴＭＦ信号であることを特徴とする請求項１〜３，５いずれか記載の通信装置。
【請求項７】
前記制御信号は音声信号であり、前記検出手段は音声認識手段であることを特徴とする請求項１〜３，５いずれか記載の通信装置。
【請求項８】
前記コンテンツ生成装置は映像配信サーバであり、前記制御信号は映像コンテンツの選択のためのものであることを特徴とする請求項２〜７いずれか記載の通信装置。
【請求項９】
前記コンテンツ生成装置はカメラであり、前記制御信号はカメラの操作制御のためのものであることを特徴とする請求項２〜７いずれか記載の通信装置。
【請求項１０】
前記第一の通信網はＩＭＴ（International Mobile Telecommunications ）−２０００に規定された移動通信網であり、前記第二の通信網はＩＰ（Internet Protocol ）通信網であることを特徴とする請求項１〜９いずれか記載の通信装置。
【請求項１１】
携帯端末が接続された第一の通信網と、前記第一の通信網とは異なる通信プロトコルを有する第二の通信網との間に設けられた通信装置の動作制御方法であって、
前記第一及び第二の通信網相互間の通信プロトコルの変換をなすプロトコル変換ステップと、前記携帯端末からの音声情報に含まれる制御信号を検出する検出ステップとを含むことを特徴とする動作制御方法。
【請求項１２】
所定符号化方式により符号化された映像コンテンツを前記携帯端末へ配信するコンテンツ生成装置が前記第二の通信網に接続されており、前記プロトコル変換ステップは、前記第一及び第二の通信網相互間の映像情報及び音声情報の符号変換をなすことを特徴とする請求項１１記載の動作制御方法。
【請求項１３】
前記制御信号は前記コンテンツ生成装置を制御する信号を含むことを特徴とする請求項１２記載の動作制御方法。
【請求項１４】
音声情報と映像情報とを所定符号化方式によりそれぞれ符号化して一本のストリーム信号として多重化して送信すると共に、音声情報と映像情報とを前記符号化方式により符号化し多重化した一本のストリーム信号を受信して音声情報と映像情報とを分離して出力する複数の携帯情報端末を相互に接続する第一の通信網と、所定符号化方式により符号化された映像コンテンツを送信するコンテンツ生成装置が接続された第二の通信網との間に設けられた通信装置の動作制御方法であって、
前記第一及び第二の通信網相互間の映像情報及び音声情報の符号変換をそれぞれなす符号変換ステップと、前記符号変換ステップにより符号化された前記第二の通信網への音声情報出力及び映像情報出力を一本のストリーム信号に多重化して前記第一の通信網へ出力するステップと、前記第一の通信網からのストリーム信号から前記音声情報と前記映像情報とを分離して前記符号変換手段へ出力するステップとを含むことを特徴とする動作制御方法。
【請求項１５】
前記音声情報には前記コンテンツ生成装置を制御する制御信号が含まれており、前記制御信号を検出する検出ステップを、更に含むことを特徴とする請求項１４記載の動作制御方法。
【請求項１６】
前記制御信号はＤＴＭＦ信号であることを特徴とする請求項１１〜１３，１５いずれか記載の動作制御方法。
【請求項１７】
前記制御信号は音声信号であり、前記検出ステップは音声認識ステップであることを特徴とする請求項１１〜１３，１５いずれか記載の動作制御方法。
【請求項１８】
前記コンテンツ生成装置は映像配信サーバであり、前記制御信号は映像コンテンツの選択のためのものであることを特徴とする請求項１２〜１７いずれか記載の動作制御方法。
【請求項１９】
前記コンテンツ生成装置はカメラであり、前記制御信号はカメラの操作制御のためのものであることを特徴とする請求項１１〜１２〜１７いずれか記載の動作制御方法。
【請求項２０】
前記第一の通信網はＩＭＴ（International Mobile Telecommunications ）−２０００に規定された移動通信網であり、前記第二の通信網はＩＰ（Internet Protocol ）通信網であることを特徴とする請求項１１〜１９いずれか記載の動作制御方法。
【発明の詳細な説明】
【技術分野】
【０００１】
本発明は通信装置及びその動作制御方法に関し、特に第三世代の携帯電話機を用いたＩＭＴ（International Mobile Telecommunications ）−２０００に規定された移動通信網とＬＡＮ等のＩＰ（Internet Protocol ）通信網との間を接続するゲートウェイ装置に関するものである。
【背景技術】
【０００２】
ブロードバンドによる高速通信やＣＤＭＡ（Code Division Multiple Access ）方式を採用したいわゆる第３世代の移動通信システムであるＩＭＴ（International Mobile Telecommunication）−２０００の登場により携帯電話機を用いた移動通信においても、本格的にマルチメディア通信が可能となってきている。
この様な背景のもと、ＩＴＵ−Ｔ（International Telecommunication Union-Telecommunication Sector）では、移動通信網を対象としたオーディオビジュアル端末の検討が開始された。この検討は、ＰＳＴＮ（Public Switched Telephone Network:公衆交換電話網）用Ｈ．３２４を拡張する形で進められ、３ＧＰＰ（Third Generation Pertnership Projects ）規格３Ｇ−３２４Ｍが制定されている。この規格は、ＩＭＴ−２０００でのオーディオビジュアル端末の規格を定義したものであって、オーディオビジュアル通信を前提とするための機能要素や通信の開始から終了までの通信手順が規定されている。
【０００３】
図８はこの規格に準拠した３Ｇ端末（携帯電話端末）１の機能ブロック図である（非特許文献１参照）。本図を参照すると、３Ｇ端末１は、カメラや表示部を含む映像入出力部１１と、マイクやスピーカを含む音声入出力部１２と、端末のシステム制御をなすシステム制御部１３と、映像コーデック１４と、音声コーデック１５と、Ｈ．２４５プロトコル制御部１６と、Ｈ．２２３多重／分離部１７とを有している。
【０００４】
映像コーデック１４は画像信号をＭＰＥＧ−４方式による符号／復号化処理をなすものであり、音声コーデック１５は音声信号をＡＭＲ（Adaptive Multiple-Rate）方式の符号／復号化処理をなすものである。プロトコル制御部１６は通信の各フェーズにおいて交換される制御メッセージについてＩＴＵ−Ｔ勧告Ｈ．２４５に準拠したプロトコル処理をなすものである。
【０００５】
多重／分離部１７は、画像、音声、制御メッセージ等をマルチメディア多重して一本のビット列にマッピングして３Ｇ網１００へ送出し、逆に、３Ｇ網１００から受信したビット列から、各情報を正しく分離するものであり、ＩＴＵ−Ｔ勧告Ｈ．２２３に準拠したマルチメディア多重化方式が採用されている。
【０００６】
なお、映像コーデック１４、音声コーデック１５、プロトコル制御部１６及び多重／分離部１７が、上述した３ＧＰＰ規格３Ｇ−３２４Ｍにより規定された“３Ｇ−３２４Ｍ端末”構成部１０となるのである。
【非特許文献１】平成１３年丸善株式会社発行、「Ｗ−ＣＤＭＡ移動通信方式」（立川  敬二監修）、ｐｐ．３４８−３４９
【発明の開示】
【発明が解決しようとする課題】
【０００７】
上述した３Ｇ端末１を用いてコンテンツ配信をなす場合のシステム概略図の例を、図９に示す。図において、３Ｇ端末１は、３Ｇ網１００に接続される。図８に示した３Ｇ−３２４Ｍ端末構成部１０の他に、ＩＰ（Internet Protocol ）網２００に接続されるＩＰパケット送受信部（例えば、ｉモード（Ｒ）機能部）２０を有しているものとする。
【０００８】
コンテンツはコンテンツサーバから３Ｇ網１００を介して、３Ｇ端末１内の３Ｇ−３２４Ｍ端末構成部１０において受信され、ユーザによる視聴が可能である。この場合、ユーザがコンテンツ配信を受けたいときや、現在配信を受けているコンテンツＡから、他のコンテンツＢに切換えたいときには、ＩＰパケット送受信部２０を介してコンテンツ配信指示や切換え指示のための制御信号を、ＩＰ網２００を通してコンテンツ配信サーバ２へ送信することになる。その理由は、３Ｇ網１００を通して、ユーザがコンテンツ配信サーバ２へ制御信号を送信する手段がないからである。
【０００９】
図１０は、この様なシステムにおいて、ユーザが上記の制御信号をＩＰ網２００を介して送信してから、コンテンツ配信サーバ２がそれに応答してコンテンツＡの配信を開始したり、コンテンツ切換えを行ったりするまでのタイミングを示す図である。図から明らかな如く、ユーザが指令を発してから実際にコンテンツが表示されるまでの間には、ＩＰ網２００を介して制御を行うために生ずる遅延時間Δｔが発生することは避けられず、ユーザに対して違和感を与えることになる。
【００１０】
なお、図９に示したシステム構成では、コンテンツ配信サーバ２は、３Ｇ網１００に直接接続されるためには、３Ｇ端末１と同様に、３ＧＰＰ規格３Ｇ−３２４Ｍに準拠した３Ｇ−３２４Ｍ端末構成を満足している必要があるが、一般には、ＩＰ網に接続可能なＩＰプロトコルに準拠した構成である。従って、現在のＩＰプロトコルに準拠したコンテンツ配信サーバ２を用いて、３Ｇ端末１へのコンテンツ配信をなすことも、課題の一つとなっている。
【００１１】
本発明の目的は、ＩＰのプロトコルに準拠したコンテンツサーバを用いて３Ｇ端末へのコンテンツ配信を可能とすると共に、ユーザによるコンテンツ制御に対して遅延のないコンテンツ配信を可能とする通信装置及びその動作制御方法を提供することである。
【課題を解決するための手段】
【００１２】
本発明による通信装置は、携帯端末が接続された第一の通信網と、前記第一の通信網とは異なる通信プロトコルを有する第二の通信網との間に設けられた通信装置であって、前記第一及び第二の通信網相互間の通信プロトコルの変換をなすプロトコル変換手段と、前記携帯端末からの音声情報に含まれる制御信号を検出する検出手段とを含むことを特徴とする。
【００１３】
本発明による他の通信装置は、音声情報と映像情報とを所定符号化方式によりそれぞれ符号化して一本のストリーム信号として多重化して送信すると共に、音声情報と映像情報とを前記符号化方式により符号化し多重化した一本のストリーム信号を受信して音声情報と映像情報とを分離して出力する複数の携帯情報端末を相互に接続する第一の通信網と、所定符号化方式により符号化された映像コンテンツを送信するコンテンツ生成装置が接続された第二の通信網との間に設けられた通信装置であって、前記第一及び第二の通信網相互間の映像情報及び音声情報の符号変換をそれぞれなす符号変換手段と、前記符号変換手段により符号化された前記第二の通信網への音声情報出力及び映像情報出力を一本のストリーム信号に多重化して前記第一の通信網へ出力すると共に、前記第一の通信網からのストリーム信号から前記音声情報と前記映像情報とを分離して前記符号変換手段へ出力する多重分離手段とを含むことを特徴とする。
【００１４】
本発明による通信装置の動作制御方法は、携帯端末が接続された第一の通信網と、前記第一の通信網とは異なる通信プロトコルを有する第二の通信網との間に設けられた通信装置の動作制御方法であって、前記第一及び第二の通信網相互間の通信プロトコルの変換をなすプロトコル変換ステップと、前記携帯端末からの音声情報に含まれる制御信号を検出する検出ステップとを含むことを特徴とする。
【００１５】
本発明による他の通信装置の動作制御方法は、音声情報と映像情報とを所定符号化方式によりそれぞれ符号化して一本のストリーム信号として多重化して送信すると共に、音声情報と映像情報とを前記符号化方式により符号化し多重化した一本のストリーム信号を受信して音声情報と映像情報とを分離して出力する複数の携帯情報端末を相互に接続する第一の通信網と、所定符号化方式により符号化された映像コンテンツを送信するコンテンツ生成装置が接続された第二の通信網との間に設けられた通信装置の動作制御方法であって、前記第一及び第二の通信網相互間の映像情報及び音声情報の符号変換をそれぞれなす符号変換ステップと、前記符号変換ステップにより符号化された前記第二の通信網への音声情報出力及び映像情報出力を一本のストリーム信号に多重化して前記第一の通信網へ出力するステップと、前記第一の通信網からのストリーム信号から前記音声情報と前記映像情報とを分離して前記符号変換手段へ出力するステップとを含むことを特徴とする。
【発明の効果】
【００１６】
本発明によれば、３Ｇ移動通信網とＩＰ網との間に映像、音声の符号変換を行う機能を有するゲートウェイ（通信装置）を設けることにより、３Ｇ移動通信網とＩＰ網との間の通信が可能となり、３Ｇ携帯端末へのコンテンツ配信が容易となる利点がある。また、３Ｇ携帯端末からのコンテンツ制御のための制御信号を、ゲートウェイにより検出できるので、３Ｇ携帯端末から３Ｇ移動通信網及びゲートウェイを介してコンテンツ配信サーバへ送信することができる。よって、コンテンツ切換えやコンテンツ生成機器の監視制御が、遅延なくできる利点もある。
【発明を実施するための最良の形態】
【００１７】
３Ｇ移動通信網とＩＰ網との間において、映像及び音声符号変換を行う機能を有する通信装置（以下、３Ｇゲートウェイと称する）を設けて、３Ｇ移動通信網とＩＰ網との接続を可能とし、３Ｇ携帯端末へＩＰのプロトコルに準拠したコンテンツサーバを用いてコンテンツ配信をなす。また、この３Ｇゲートウェイに３Ｇ携帯端末からの制御信号を検出できる機能を設けて、この３Ｇ携帯端末から、コンテンツサーバの制御やコンテンツ生成機器の各種制御を行うことを可能とする。
【実施例１】
【００１８】
以下に図面を参照して本発明の実施例について説明する。図１は本発明の実施例が適用されるシステム概略図であり、図１において、３Ｇ端末１はＩＭＴ−２０００ネットワークである３Ｇ網１００を介して３Ｇゲートウェイ３に接続される。この３Ｇゲートウェイ３は、３Ｇ網１００の規格である３ＧＰＰ規格３Ｇ−３２４Ｍと、コンテンツ配信サーバ２が接続されているＬＡＮ２００の規格であるＩＰとの通信プロトコル変換を行うプロトコル変換用の通信装置である。
【００１９】
このプロトコル変換用通信装置である３Ｇゲートウェイ３により、３Ｇ網１００とＬＡＮ２００との接続が可能となって、ＩＰのプロトコル規格に準拠した現在のコンテンツ配信サーバ２と、３Ｇ（携帯）端末１とが接続可能となるのである。
【００２０】
図２は図１に示す３Ｇ端末１の機能ブロック図であり、図３は図１に示す３Ｇゲートウェイ３の機能ブロック図である。先ず、図２を参照して本実施例に用いて好適な３Ｇ端末１の構成を説明する。なお、図２において、図７と同等部分は同一符号により示している。本例では、図７に示す構成の他に、操作部１８が追加して示されている（なお、図７でも、操作部は、当然存在するが、３Ｇ−３２４Ｍ端末構成の説明には関係ないので、省略されているだけのことである）。
【００２１】
この操作部１８はテンキーを含む複数の押しボタンからなり、これ等押しボタンの少くとも一部には、周知のＤＴＭＦ（Dual Tone Multi-Frequency ）が割当てられているものとし、各々の押しボタンの押圧操作により、そのボタンに割当てられたＤＴＭＦ信号が生成されるものとする。このＤＴＭＦ信号が、音声入出力部１２のマイクからの信号と共に音声コーデック１５へ入力されている。この音声コーデック１５によって、入力されたこれ等信号はＡＭＲ符号化されて多重／分離部１７でＭＰＥＧ−４の画像信号や制御メッセージと共に一本のビット列にマッピングされて、３Ｇ網１００へ送信される。
【００２２】
図３を参照して、３Ｇゲートウェイ３の構成について説明する。この３Ｇゲートウェイ３は、３Ｇ網１００とのインタフェースをなすネットワークインタフェース３１と、Ｈ．２２３に準拠した多重及び分離をなす多重／分離部３２と、呼接続機能を有すると共に、Ｈ．２４５に準拠したプロトコル制御部３３と、画像信号の符号変換をなす映像トランスコーダ３４と、音声信号の符号変換をなす音声トランスコーダ３５と、音声トランスコーダ３５の出力からＤＴＭＦの検出をなすＤＴＭＦ検出部３６と、ＬＡＮ網２００とのインタフェースをなすＬＡＮインタフェース３７とを有している。なお、ＬＡＮ網２００はＩＰ網であれば良く、イントラネットや自営網や広域通信網（インターネット）であっても良い。
【００２３】
多重／分離部３２は、図２や図８に示したＨ．２２３に準拠した多重及び分離機能を有するものであり、３Ｇ網１００を介して入力される一本のビット列から、制御メッセージ、ＭＰＥＧ−４の符号化映像信号、ＡＭＲ符号化音声信号を分離して、プロトコル制御部３３、映像トランスコーダ３４、音声トランスコーダ３５へそれぞれ入力する。逆に、映像トランスコーダ３４からのＭＰＥＧ−４符号化映像信号、音声トランスコーダ３５からのＡＭＲ符号化音声信号、プロトコル制御部３３からの制御メッセージをそれぞれの入力として、Ｈ．２２３に準拠して一本のビット列に多重化し、３Ｇ網２００へ送出する。その一例を図４に示す。図において、ＡＬ−ＳＤＵはアダプテーションレイヤサービスデータユニットであり、ＳＮは音声ユニットの連続番号を示すシリアルナンバ、ＣＦはコントロールフィールドであり、映像ユニットの連続番号を含む。また、ＣＲＣは冗長巡回検査符号であり、ＭＵＸ−ＰＤＵは多重化プロトコルデータユニットである。
【００２４】
映像トランスコーダ３４は、多重／分離部３２からのＭＰＥＧ−４符号化映像信号を相手先に応じて符号変換するものであり、相手先がＭＰＥＧ−４方式の映像信号を扱う装置であれば、符号変換なしに、ＭＰＥＧ−４のまま出力し、相手先がテレビ電話等のＴＶｏＩＰ（Television over Internet Protocol）装置であれば、Ｈ．２６３に準拠した符号化を行うものである。逆に、ＬＡＮ２００からの符号化映像信号を、ＭＰＥＧ−４符号変換するものであり、ＭＰＥＧ−４符号化映像信号の場合は符号変換なしに、そのまま出力し、ＴＶｏＩＰ装置であれば、Ｈ．２６３に準拠した符号化映像信号をＭＰＥＧ−４符号化映像信号へ符号変換して出力するものである。
【００２５】
この場合、ＭＰＥＧ−４とＨ．２６３との符号変換処理と、符号変換処理せずにＭＰＥＧ−４のまま出力する処理との切替えは、映像トランスコーダ３４への入力信号のヘッダ等に含まれている情報に基づいて制御するよう構成されている。
【００２６】
音声トランスコーダ３５は、多重／分離部３２からのＡＭＲ符号化音声信号を、相手先に応じて符号変換するものであり、相手先が、ＶｏＩＰ（Voice of Internet Protocol）装置であれば、Ｇ．７１１に準拠した符号化を行い、Ｇ．７２９に準拠した装置であれば、それに対応した符号化を行う。逆に、ＬＡＮ２００からの符号化音声信号を、ＡＭＲ符号化方式の音声信号に変換するものである。この場合の符号変換処理の切替えについても、音声トランスコーダ３５への入力信号のヘッダ等に含まれている情報に基づいて制御するよう構成されている。
【００２７】
ＤＴＭＦ検出部３６は、音声トランスコーダ３５における音声信号のなかから、ＤＴＭＦ信号を検出して出力するものであり、この検出出力が、図１に示したＬＡＮ２００に接続されているコンテンツ配信サーバ２の制御信号として用いられる。なお、プロトコル制御部３３は制御メッセージに従ってＨ．２４５に準拠したシステム制御を行うものである。
上述したこの３Ｇゲートウェイ３は、３Ｇ網１００とＩＰ網２００との間のプロトコル変換機能を有するものである。
【００２８】
図５は図１に示したコンテンツ配信サーバ２のコンテンツ制御のための機能ブロック図である。図３のＤＴＭＦ検出部３６による検出信号は、制御部２１へ入力され、その検出信号がコンテンツＡの選択をなす制御信号であれば、スイッチ２２を制御してコンテンツＡの選択を行って、ＬＡＮ２００を介してコンテンツＡの配信を行うよう制御する。また、ＤＴＭＦ検出信号がコンテンツＢの選択をなす制御信号であれば、スイッチ２２を制御してコンテンツＢの選択を行うよう制御する。
【００２９】
図６は３Ｇ端末１からの押しボタンによる押圧操作に応答して、コンテンツ種別の選択を行った場合のタイミングチャートであり、押しボタン操作に対してリアルタイムでコンテンツ切換制御ができることになる。コンテンツの選択のみならず、コンテンツ生成機器であるカメラ等の操作制御も可能である。
【実施例２】
【００３０】
図７は本発明の他の実施例における３Ｇゲートウェイ３のブロック図であり、図３と同等部分は同一符号により示している。本例では、図３の例におけるＤＴＭＦ検出部３６の代りに、音声認識部３８を設けている。先の実施例では３Ｇ端末１の操作部の押しボタンにより制御信号を生成してそれを検出しているが、本例では、音声認識による制御を行う場合を示す。
【００３１】
すなわち、３Ｇ端末１のユーザがマイク（図２の音声入力部１２に含まれる）に向けて予め登録されている音声を発すると、３Ｇゲートウェイ３の音声認識部３８がそれを検出する。これにより、図５に示した制御部２１がスイッチ２２を制御するための制御信号を生成して、コンテンツ選択が可能となる。また、コンテンツ生成機器であるカメラ等の操作制御も可能である。
【産業上の利用可能性】
【００３２】
上述した３Ｇゲートウェイを用いることにより、３Ｇ網とＩＰ網との接続が可能となるので、３Ｇ端末とパーソナルコンピュータとの間のテレビ電話通信もでき、また、３Ｇ端末を用いて外出先から自宅や事務所等の遠隔監視がリアルタイムで行えることにもなる。
【図面の簡単な説明】
【００３３】
【図１】本発明の実施例のシステム概略図である。
【図２】本発明の実施例における３Ｇ端末の機能ブロック図である。
【図３】本発明の一実施例による３Ｇゲートウェイの機能ブロック図である。
【図４】Ｈ．２３３多重／分離部の多重／分離の例を示す図である。
【図５】本発明の実施例におけるコンテンツサーバの例を示す図である。
【図６】本発明の実施例における動作タイミング図である。
【図７】本発明の他の実施例による３Ｇゲートウェイの機能ブロック図である。
【図８】従来の３Ｇ端末の機能ブロック図である。
【図９】３Ｇ端末を用いた従来のコンテンツ配信システムの例を示す図である。
【図１０】図８のシステムにおける動作タイミングを示す図である。
【符号の説明】
【００３４】
１  ３Ｇ端末
２  コンテンツ配信サーバ
３  ３Ｇゲートウェイ
１０  ３Ｇ−３２４Ｍ端末構成部
１１  映像入出力部
１２  音声入出力部
１３  システム制御部
１４  映像コーデック
１５  音声コーデック
１６，３３  プロトコル制御部
１７，３２  多重／分離部
１８  操作部
２１  制御部
２２  スイッチ
３１  ネットワークインタフェース
３４  映像トランスコーダ
３５  音声トランスコーダ
３６  ＤＴＭＦ検出部
３７  ＬＡＮインタフェース
３８  音声認識部
１００  ３Ｇ網
２００  ＬＡＮ網
【図１】
2005033664.tif 000003
【図２】
2005033664.tif 000004
【図３】
2005033664.tif 000005
【図４】
2005033664.tif 000006
【図５】
2005033664.tif 000007
【図６】
2005033664.tif 000008
【図７】
2005033664.tif 000009
【図８】
2005033664.tif 000010
【図９】
2005033664.tif 000011
【図１０】
2005033664.tif 000012